(57)【要約】【課題】  初心者でも簡単に正しく装着することができ、かつ、安全性の高い剣道用面を提供する。【解決手段】  使用者の顔面を保護する面金と、前記面金の外周縁から後方へ延びるように設けられ、前記使用者の少なくとも頭頂部及び両側頭部を保護する面布団とを備え、前記面金に取り付けられた一対の面紐を前記使用者の後頭部の後側で結ぶことによって前記使用者の頭部に装着される剣道用面であって、前記面布団の後縁から突出し、前記面紐が通される紐通し孔を構成する紐通し部をさらに備える。【選択図】図２
2020151336.tif 000002
【特許請求の範囲】
【請求項１】
使用者の顔面を保護する面金と、前記面金の外周縁から後方へ延びるように設けられ、前記使用者の少なくとも頭頂部及び両側頭部を保護する面布団とを備え、前記面金に取り付けられた一対の面紐を前記使用者の後頭部の後側で結ぶことによって前記使用者の頭部に装着される剣道用面であって、
前記面布団の後縁から突出し、前記面紐が通される紐通し孔を構成する紐通し部をさらに備えていることを特徴とする剣道用面。
【請求項２】
前記紐通し部が、前記面布団とは別部材である紐通し部材によって構成されている請求項１記載の剣道用面。
【請求項３】
前記紐通し部材が、前記面布団に着脱可能に取り付けられるものである請求項２記載の剣道用面。
【請求項４】
前記紐通し部材が、前記面布団に対して取り付け位置を変更できるように構成されているものである請求項３記載の剣道用面。
【請求項５】
前記面布団が、前記紐通し部材を保持する保持部を有しており、
前記紐通し部材が、前記保持部に着脱可能に保持される被保持部を有しており、
前記保持部が、前記面布団の後縁に沿うように長尺状に延びている請求項３又は４のいずれかに記載の剣道用面。
【請求項６】
前記紐通し部材が、前記面布団の裏面に取り付けられるものである請求項２乃至５のいずれかに記載の剣道用面。
【請求項７】
前記紐通し部材が、緩衝性を有する材料によって形成されている請求項１乃至６のいずれかに記載の剣道用面。
【請求項８】
使用者の顔面を保護する面金と、前記面金の外周縁から後方へ延びるように設けられ、前記使用者の少なくとも頭頂部及び両側頭部を保護する面布団とを備え、前記面金に取り付けられた一対の面紐を前記使用者の後頭部の後側で結ぶことによって前記使用者の頭部に装着される剣道用面に用いられるものであって、
前記面布団に設けられた保持部に保持される被保持部と、
前記被保持部を前記保持部に保持させた状態で、前記面布団の後縁から突出し、前記面紐が通される紐通し孔を構成する紐通し部とを備えることを特徴とする紐通し部材。
【発明の詳細な説明】
【技術分野】
【０００１】
本発明は、剣道用面及び紐通し部材に関するものである。
【背景技術】
【０００２】
剣道用面を装着する場合には、面紐を面布団の正しい位置に沿わせて結ばなければ、使用者の頭部に正しく装着できず、その結果、物見の位置がずれて視界が悪くなると共に、竹刀による打撃を十分に緩衝できなくなる。
【０００３】
ところで、同じ剣道用面を長年装着し続けると、面布団の正しい位置が面紐によって押圧され続け、当該正しい位置に癖が付いて窪みが形成される。これにより、剣道用面を装着する場合に、使用者が面布団に対する面紐の位置を意図的に調整しなくても、面紐を結ぶ過程でその面紐が自然とその窪みに嵌り込んで正しい位置に沿うように位置付けられる。
【０００４】
一方、初心者が装着する購入直後の剣道用面は、面布団に癖が付いていないため、剣道用面を装着する場合に、使用者が面布団に対する面紐の位置を意図的に調整する必要がある。しかし、そもそも初心者は、面布団のどの位置が正しい位置に該当するか正確に把握していないため、剣道用面を正しく装着することが極めて困難であった。
【０００５】
そこで、特許文献１には、初心者でも簡単に正しく装着できる剣道用面として、面布団に面紐を通すためのベルト保持部を取り付けたものが開示されている。
【０００６】
しかし、前記特許文献１に係る剣道用面は、ベルト保持部が面布団の外面に取り付けられている。このため、対戦中に頭頂部を狙った面打ちが外れた場合や鍔迫り合いを行った場合等に、竹刀の弦や中結がベルト保持部に引っ掛かることがあり、非常に危険であるという問題があった。
【先行技術文献】
【特許文献】
【０００７】
【特許文献１】特許第４８９７５５６号公報
【発明の概要】
【発明が解決しようとする課題】
【０００８】
そこで、本発明は、初心者でも簡単に正しく装着することができ、かつ、安全性の高い剣道用面を提供することを主な課題とするものである。
【課題を解決するための手段】
【０００９】
すなわち、本発明に係る剣道用面は、使用者の顔面を保護する面金と、前記面金の外周縁から後方へ延びるように設けられ、前記使用者の少なくとも頭頂部及び両側頭部を保護する面布団とを備え、前記面金に取り付けられた一対の面紐を前記使用者の後頭部の後側で結ぶことによって前記使用者の頭部に装着される剣道用面であって、前記面布団の後縁から突出し、前記面紐が通される紐通し孔を構成する紐通し部をさらに備えていることを特徴とするものである。
【００１０】
このようなものであれば、面布団の後縁から突出し、面紐が通される紐通し孔を構成する紐通し部を備えるように構成したので、使用者が剣道用面を頭部に装着した場合に、紐通し部が使用者の後頭部の後方に位置付けられるようになる。これにより、対戦中に頭頂部を狙った面打ちが外れた場合や鍔迫り合いを行った場合等に、紐通し部に対して竹刀が接触する可能性が格段に低くなる。その結果、対戦中に紐通し部に竹刀が引っ掛かる可能性が非常に低くなり、安全性が格段に向上する。
【００１１】
詳述すると、従来から面布団は、対戦時に使用者の頭部を保護すべく設けられたものであり、使用者の頭部のうちで対戦時に竹刀が接触する可能性がある危険箇所をカバーするような形状に形成されている。そして、本発明の紐通し部は、従来の面布団から突出するように設けられていることから、使用者の頭部のうちで危険箇所以外の部分に配置されることになる。すなわち、本発明の紐通し部は、使用者の頭部のうちで竹刀が極めて接触し難い箇所に配置されることになる。よって、当然に対戦中に紐通し部に対して竹刀が接触する可能性は極めて低く、これにより、安全性が格段に向上する。
【００１２】
また、前記紐通し部が、前記面布団とは別部材である紐通し部材によって構成されているものであってもよい。この場合、前記紐通し部材を、前記面布団に着脱可能に取り付けられるように構成してもよい。
【００１３】
使用者が経験を積むことにより、紐通し孔が無くても剣道用面を正しい位置に装着できるようになる。そうすると、剣道用面を装着する際に、紐通し部が邪魔になる。そこで、紐通し部材を面布団に対して着脱可能にしておくことにより、使用者の熟練度に応じて紐通し部材を容易に取り外せる。
【００１４】
ところで、剣道用面を装着する場合、一対の面紐を物見の後方において結ぶのが一般的であるが、剣道の流派によっては、一対の面紐を物見の後方よりも下側（首側）で結ぶことがある。そこで、前記紐通し部材が、前記面布団に対して取り付け位置を変更できるように構成してもよい。具体的には、前記面布団が、前記紐通し部材を保持する保持部を有しており、前記紐通し部材が、前記保持部に着脱可能に保持される被保持部を有しており、前記保持部が、前記面布団の後縁に沿うように延びているように構成すればよい。
【００１５】
このようなものであれば、紐通し部材の保持部に対する取り付け位置を調整することにより、紐通し孔を面布団の後縁に沿って移動させることできるようになり、一対の面紐の結ぶ位置に合わせて紐通し孔の位置を調整できる。
【００１６】
また、前記紐通し部材が、前記面布団の裏面に取り付けられるものであってもよい。
【００１７】
このようなものでれば、紐通し部材の面布団に対する取り付け部分が面布団の外面に現れず、安全性がより向上する。
【００１８】
また、前記紐通し部材が、緩衝性を有する材料によって形成されているものであってもよい。
【００１９】
このようなものであれば、対戦中に転んで後頭部を打ったとしても、その衝撃を紐通し部材によって吸収することができる。
【００２０】
また、本発明に係る紐通し部材は、使用者の顔面を保護する面金と、前記面金の外周縁から後方へ延びるように設けられ、前記使用者の少なくとも頭頂部及び両側頭部を保護する面布団とを備え、前記面金に取り付けられた一対の面紐を前記使用者の後頭部の後側で結ぶことによって前記使用者の頭部に装着される剣道用面に用いられるものであって、前記面布団に設けられた保持部に保持される被保持部と、前記被保持部を前記保持部に保持させた状態で、前記面布団の後縁から突出し、前記面紐が通される紐通し孔を構成する紐通し部とを備えることを特徴とするものである。
【発明の効果】
【００２１】
このような構成の剣道用面によれば、初心者でも簡単に正しく装着することができ、かつ、安全性も向上する。
【図面の簡単な説明】
【００２２】
【図１】実施形態に係る剣道用面を後方側から目視した状態を示す斜視図である。
【図２】実施形態に係る剣道用面を模式的に示す側面図である。
【図３】実施形態に係る剣道用面を模式的に示す断面図である。
【図４】その他の実施形態に係る剣道用面を模式的に示す断面図である。
【図５】その他の実施形態に係る剣道用面を模式的に示す断面図である。
【発明を実施するための形態】
【００２３】
以下に、本発明に係る剣道用面を図面に基づいて説明する。
【００２４】
＜実施形態＞  本実施形態に係る剣道用面１００は、図１及び図２に示すように、使用者の顔面を保護する面金１０（剣道用面金）と、面金１０に取り付けられ、使用者の頭頂部、側頭部及び肩を保護する面布団２０と、面金１０に取り付けられ、使用者の首（喉）を保護する垂れ３０と、を備えている。以下において、剣道用面１００を装着した使用者の顔面が、正面を向く方向を前方とし、逆の方向を後方として説明する。
【００２５】
前記面金１０は、楕円形状の枠体１１と、枠体１１に対して左右方向へ架け渡された複数の横金１２と、枠体１１に対して上下方向へ架け渡された縦金１３と、を備えている。なお、縦金１３は、各横金１２の中央に沿って延びている。そして、各横金１２及び縦金１３は、その交差する部分において互いに接続されている。
【００２６】
前記複数の横金１２は、前方に向かってＵ字状に湾曲した棒状のものであり、枠体１１に対して上下方向に並べて配置されている。なお、隣り合う横金１２の間隔は、使用者の目の高さ付近に配置された一対の横金１２ａの間隔のみ他の間隔よりも僅かに広くなっており、この一対の横金１２ａの間隔が所謂物見Ｘを構成している。
【００２７】
前記面布団２０は、可撓性を有する長尺板状をなしている。そして、面布団２０は、面金１０の外周縁１１ａ（枠体１１）に沿って取り付けられている。具体的には、面布団２０は、Ｕ字状に湾曲させた状態で、面金１０の外周縁１１ａに一方の長辺を構成する外縁２０ａを沿わせて取り付けられる。よって、面布団２０は、面金１０の外周縁１１ａから後方へ延びた状態になっており、一方の長辺を構成する外縁２０ａが前方側に位置付けられ、他方の長辺を構成する外縁２０ｂが後方側に位置付けられた状態になっている。なお、面布団２０は、面金１０の外周縁１１ａのうちで使用者の首側に位置する下部を除く部分に取り付けられている。
【００２８】
前記垂れ３０は、面布団２０と同様に、面金１０の外周縁１１ａに沿って取り付けられている。具体的には、垂れ３０は、面金１０の外周縁１１ａの面布団２０が取り付けられていない下部に取り付けられている。
【００２９】
また、前記面金１０には、一対の面紐４０が取り付けられる。なお、一対の面紐４０は、それぞれ面金１０を構成する所定の横金１２に取り付けられている。具体的には、一対の面紐４０は、物見Ｘを構成する一対の横金１２ａよりも下側に位置する所定の横金１２に取り付けられている。そして、一対の面紐４０のうちで一方は、その一端側が所定の横金１２の縦金１３よりも左側に取り付けられており、一対の面紐４０のうちで他方は、その一端側が所定の横金１２の縦金１３よりも右側に取り付けられている。なお、一対の面紐４０は、直接面金１０に取り付けてもよく、耐久性を考慮して革紐等を介して面金に取り付けてもよい。
【００３０】
また、前記面布団２０には、紐通し部材５０が着脱可能に取り付けられている。なお、紐通し部材５０は、面布団２０に対し、その一部５１を面布団２０の他方の長辺を構成する外縁２０ｂ、言い換えれば、後方側に位置付けられる外縁２０ｂから後方へ突出させた状態で取り付けられる。なお、この一部５１が、請求項における紐通し部となる。そして、紐通し部材５０は、面布団２０に取り付けられた状態において、面布団２０の外縁２０ｂから突出した紐通し部５１に面紐４０が通される紐通し孔５１ａが形成されている。
【００３１】
なお、前記紐通し部材５０は、図３に示すように、面布団２０の裏面２０ｃ（内面）に取り付けられている。具体的には、面布団２０の裏面２０ｃには、後方側の外縁２０ｂに沿うように保持部２１が設けられている。また、紐通し部材５０には、面布団２０の裏面２０ｃと対向する面に被保持部５２が設けられている。そして、紐通し部材５０は、面布団２０の保持部２１に被保持部５２を密着させることによって面布団２０の裏面２０ｃに着脱可能に取り付けられるように構成されている。保持部２１及び被保持部５２は、例えば、面ファスナーによって構成することができる。
【００３２】
また、前記面布団２０の保持部２１は、当該面布団２０の後方側の外縁２０ｂに沿うように長尺状に延びている。これにより、紐通し部材５０は、保持部２１に対する取り付け位置を調整することができるように構成されている。そして、紐通し部材５０の保持部２１に対する取り付け位置を調整することにより、面布団２０の後方側の外縁２０ｂに沿って紐通し孔５１ａを移動させることができるようになっている。
【００３３】
次に、本実施形態に係る剣道用面１００の装着方法を説明する。
【００３４】
本実施形態に係る剣道用面１００を装着する場合には、剣道用面１００を使用者の頭部に被せた状態で、一対の面紐４０の他端側を使用者の後頭部の後側で結び、剣道用面１００が頭部に対してずれないように縛り止める。
【００３５】
具体的には、一対の面紐４０は、先ず、各面紐４０の他端側を後方へ回し、紐通し孔５１ａに通した後、後頭部の後側で交差させて引っ張る。続いて、各面紐４０の他端側を前方へ回し、先に通した紐通し孔５１ａと反対側の紐通し孔５１ａに通した後、面金１０の最も上方に配置される横金１２と枠体１１との間の隙間に通して交差させて引っ張る。最後に、各面紐４０の他端側を再度後方へ回し、最初に通した紐通し孔５１ａに通した後、後頭部の後側で引っ張った状態で結ぶ。
【００３６】
このように構成すれば、一対の面紐４０を結ぶ過程において、各面紐４０を紐通し孔５１ａに通すことにより、各面紐４０が面布団２０に対して正しい位置に沿うように配置される。その結果、剣道用面１００を正しく装着できる。
【００３７】
なお、前記装着方法では、一対の面紐４０を結ぶ過程において、一つの紐通し孔５１ａに対して面紐４０を３回通しているが、一つの紐通し孔５１ａに対して面紐４０を１回通すだけでも、ある程度面布団２０に対して面紐４０を正しい位置に沿わせることができる。
【００３８】
＜その他の実施形態＞  前記実施形態においては、面布団２０に対して紐通し部材５０を着脱可能に設けているが、着脱できないように設けてもよい。
【００３９】
また、前記実施形態においては、面布団２０に対し、当該面布団２０とは別部材である紐通し部材５０によって紐通し孔５１ａを設けているが、図４に示すように、面布団２０を構成する部材の一部を後方側の外縁２０ｂから突出させ、その突出した部分（紐通し部５１）に紐通し孔５１ａを形成してもよい。
【００４０】
さらに、図５に示すように、面布団２０に対し、紐状の紐通し部材５０を取り付けて紐通し孔５１ａを構成してもよい。具体的には、紐状の紐通し部材５０の両端を面布団２０の後方側の外縁部に取り付け、当該紐状の紐通し部材５０における面布団２０の後方側の外縁２０ｂから突出した中間部（紐通し部５１）と当該中間部の間に位置する面布団２０の外縁２０ｂとによって紐通し孔５１ａを構成してもよい。
【００４１】
また、前記紐通し部５１は、緩衝性を有する材料によって構成してもよい。この場合、紐通し部５１を、面布団２０と同一の製法によって形成してもよい。具体的には、紐通し部５１を、緩衝性を有する芯材の表・裏面に布を積層し、縫合することによって形成してもよい。
【００４２】
その他、本発明は前記各実施形態に限られず、その趣旨を逸脱しない範囲で種々の変形が可能であるのは言うまでもない。
【符号の説明】
【００４３】
１００  剣道用面
１０  面金
１１  枠体
１２  横金
１３  縦金
２０  面布団
２１  保持部
３０  垂れ
４０  面紐
５０  紐通し部材
５１  紐通し部
５１ａ  紐通し孔
５２  被保持部
【図１】
2020151336.tif 000003
【図２】
2020151336.tif 000004
【図３】
2020151336.tif 000005
【図４】
2020151336.tif 000006
【図５】
2020151336.tif 000007
【手続補正書】
【提出日】令和1年7月16日(2019.7.16)
【手続補正１】
【補正対象書類名】特許請求の範囲
【補正対象項目名】全文
【補正方法】変更
【補正の内容】
【特許請求の範囲】
【請求項１】
使用者の顔面を保護する面金と、前記面金の外周縁から後方へ延びるように設けられ、前記使用者の少なくとも頭頂部及び両側頭部を保護する面布団とを備え、前記面金に取り付けられた一対の面紐を前記使用者の後頭部の後側で結ぶことによって前記使用者の頭部に装着される剣道用面であって、
前記面布団の後縁から突出し、前記面紐が通される紐通し孔を構成する紐通し部材をさらに備えており、
前記面布団が、前記紐通し部材を着脱可能に保持する保持部を有し、
前記紐通し部材が、前記面布団に対して取り付け位置を変更できるように、前記保持部に着脱可能に保持されていることを特徴とする剣道用面。
【請求項２】
前記紐通し部材が、前記保持部に保持される被保持部を有し、
前記保持部と前記被保持部とが、面ファスナーによって構成されているものである請求項１記載の剣道用面。
【請求項３】
前記保持部が、前記紐通し部材よりも長尺状のものであり、前記面布団の後縁に沿うように延びている請求項１又は２のいずれかに記載の剣道用面。
【請求項４】
前記紐通し部材が、前記面布団の裏面に取り付けられるものである請求項１乃至３のいずれかに記載の剣道用面。
【請求項５】
前記紐通し部材が、緩衝性を有する材料によって形成されている請求項１乃至４のいずれかに記載の剣道用面。
【請求項６】
使用者の顔面を保護する面金と、前記面金の外周縁から後方へ延びるように設けられ、前記使用者の少なくとも頭頂部及び両側頭部を保護する面布団とを備え、前記面金に取り付けられた一対の面紐を前記使用者の後頭部の後側で結ぶことによって前記使用者の頭部に装着される剣道用面に用いられるものであって、
前記面布団に設けられた保持部に保持されるものであり、前記保持部に保持させた状態で、前記面布団の後縁から突出し、前記面紐が通される紐通し孔を構成する紐通し部を備えることを特徴とする紐通し部材。
【手続補正書】
【提出日】令和1年9月25日(2019.9.25)
【手続補正１】
【補正対象書類名】特許請求の範囲
【補正対象項目名】全文
【補正方法】変更
【補正の内容】
【特許請求の範囲】
【請求項１】
使用者の顔面を保護する面金と、前記面金の外周縁から後方へ延びるように設けられ、前記使用者の少なくとも頭頂部及び両側頭部を保護する面布団とを備え、前記面金に取り付けられた一対の面紐を前記使用者の後頭部の後側で結ぶことによって前記使用者の頭部に装着される剣道用面であって、
前記面布団の後縁から突出し、前記面紐が通される紐通し孔を構成する紐通し部材をさらに備えており、
前記面布団が、前記紐通し部材を着脱可能に保持する保持部を有し、
前記紐通し部材が、前記保持部に保持される被保持部を有し、
前記保持部と前記被保持部とが、面ファスナーによって構成されており、
前記保持部及び前記被保持部を着脱することにより、前記紐通し部材の前記面布団に対する取り付け位置を変更できるように構成されていることを特徴とする剣道用面。
【請求項２】
前記保持部が、前記紐通し部材よりも長尺状のものであり、前記面布団の後縁に沿うように延びている請求項１記載の剣道用面。
【請求項３】
前記紐通し部材が、前記面布団の裏面に取り付けられるものである請求項１又は２のいずれかに記載の剣道用面。
【請求項４】
前記紐通し部材が、緩衝性を有する材料によって形成されている請求項１乃至３のいずれかに記載の剣道用面。
【請求項５】
使用者の顔面を保護する面金と、前記面金の外周縁から後方へ延びるように設けられ、前記使用者の少なくとも頭頂部及び両側頭部を保護する面布団とを備え、前記面金に取り付けられた一対の面紐を前記使用者の後頭部の後側で結ぶことによって前記使用者の頭部に装着される剣道用面に用いられるものであって、
前記面布団に設けられた保持部を構成する面ファスナーと互いに着脱可能な面ファスナーで構成された被保持部と、
前記被保持部を前記保持部に保持させた状態で、前記面布団の後縁から突出し、前記面紐が通される紐通し孔を構成する紐通し部とを備え、
前記被保持部を前記保持部に着脱することにより、前記面布団に対する取り付け位置を変更できるように構成されていることを特徴とする紐通し部材。